(57)【要約】【課題】手提げ袋に収納された重量物による手への痛みを軽減しつつ、しっかりと手提げ袋を保持することができる手提げ袋用取っ手を提供する。【解決手段】手提げ袋用取っ手は、手提げ袋の手提げ部が配置される凹溝１１ａを有する半筒部１１により形成されている。この半筒部１１の両端部１１ｔに、直線状または曲線状のいずれか一方または両方による切り込み線１２が複数本組み合わされて形成されている。切り込み線１２は、溝方向Ｆ１に沿った直線による第１切り込み線１２ａと、第１切り込み線１２ａから、半筒部１１の溝方向Ｆ１と交差する方向に形成された第２切り込み線１２ｂとにより形成されている。第２切り込み線１２ｂは、第１切り込み線１２ａの先端を通る円弧線であり、反対側の端部に向かって凹状の円弧線により形成されている。【選択図】図１
2019167122.tif 000002
【特許請求の範囲】
【請求項１】
手提げ袋の手提げ部が配置される凹溝を有する半筒部により形成された手提げ袋用取っ手において、
前記半筒部の両端部に、直線状または曲線状のいずれか一方または両方による切り込み線が複数本組み合わされて形成され、
前記切り込み線は、前記半筒部の溝方向と交差する方向に形成された部分を有する手提げ袋用取っ手。
【請求項２】
前記切り込み線は、前記溝方向に沿った直線による第１切り込み線と、前記第１切り込み線から前記第１切り込み線と交差する方向に延びる第２切り込み線とにより形成された請求項１記載の手提げ袋用取っ手。
【請求項３】
前記第２切り込み線は、前記第１切り込み線の先端を通る円弧線であり、反対側の端部に向かって凹状の円弧線により形成された請求項２記載の手提げ袋用取っ手。
【請求項４】
前記第２切り込み線は、前記第１切り込み線の先端から反対の端部側に向かって複数本の直線が開くように形成された請求項２記載の手提げ袋用取っ手。
【請求項５】
前記第２切り込み線は、前記第１切り込み線に直交する直線により形成された請求項２記載の手提げ袋用取っ手。
【請求項６】
前記切り込み線は、前記半筒部の端部から前記半筒部の一方の側部に向かって凸状の第１切り込み線と、前記第１切り込み線から前記半筒部の他方の側部に向かって凸状の第２切り込み線とにより形成された請求項１記載の手提げ袋用取っ手。
【請求項７】
前記切り込み線は、前記半筒部の端部から反対の端部側に向かって複数本の直線が開くように形成された請求項１記載の手提げ袋用取っ手。
【請求項８】
前記半筒部は、前記端部に向かうに従って溝壁の高さが低くなる請求項１から７のいずれかの項に記載の手提げ袋用取っ手。
【発明の詳細な説明】
【技術分野】
【０００１】
本発明は、スーパーマーケットやコンビニエンスストア、量販店などで購入した商品を収納するポリエチレン等により形成された手提げ袋を吊り下げるための手提げ袋用取っ手に関するものである。
【背景技術】
【０００２】
レジ袋と称されるポリエチレン等により形成された手提げ袋は、店舗にて購入した商品を収納して運ぶのに便利である。しかし、数多くの商品や重い商品を入れると、手提げ部分が指に食い込み、手が痛くなるため、長時間の移動が苦痛になることがある。
商品を入れて重くなった手提げ袋でも手への痛みを軽減することができるものとして、特許文献１から３に記載された従来の手提げ袋用取っ手が知られている。
【０００３】
特許文献１に記載の荷物吊り下げ用把手は、略Ｕ字形の底面の両端に切り欠き穴を設
け、切り欠き穴を設けた底面と側板に切り欠きを両端に設けたものである。
特許文献２に記載の袋ホルダーは、本体の両端面に、袋持ち手導入ガイド、切れ目、引っ掛け穴、本体の両脇に補強材、二箇所の折り目を設けたものである。
特許文献３に記載の手提げグリップは、手提げ袋の一対の手提げ部分をまとめてスロット部に挿通することで、一対の手提げ部分がまとめて第１カット部に係止された状態で吊り下げられるというものである。
【先行技術文献】
【特許文献】
【０００４】
【特許文献１】実開平６−７１４５１号公報
【特許文献２】特開２００９−６７４７１号公報
【特許文献３】特開２００３−５４５８３号公報
【発明の概要】
【発明が解決しようとする課題】
【０００５】
しかし、特許文献１，２に記載の従来の手提げ袋用取っ手は、切れ目（切り込み線）から手提げ袋の手提げ部分を切り込み穴に挿入させて、切り込み穴により手提げ部分を保持するため、使用者が揺れる度に手提げ部分が切り込み穴で移動して、切れ目から飛び出し、外れるおそれがある。
【０００６】
また、特許文献３に記載の従来の手提げ袋用取っ手は、手提げグリップの両端部に、第１ノッチ部（切り込み線）が形成されているだけなので、やはり、手提げ袋の揺れ方向によっては手提げ袋の手提げ部分が切り込み線から外れるおそれがある。
【０００７】
そこで本発明は、手提げ袋に収納された重量物による手への痛みを軽減しつつ、しっかりと手提げ袋を保持することができる手提げ袋用取っ手を提供することを目的とする。
【課題を解決するための手段】
【０００８】
本発明の手提げ袋用取っ手は、手提げ袋の手提げ部が配置される凹溝を有する半筒部により形成されたものであり、前記半筒部の両端部に、直線状または曲線状のいずれか一方または両方による切り込み線が複数本組み合わされて形成され、前記切り込み線は、前記半筒部の溝方向と交差する方向に形成された部分を有する。
【０００９】
本発明の手提げ袋用取っ手によれば、手提げ袋の手提げ部分が切り込み線に入り込むことで、挟持され、保持される。この切り込み線は、半筒部の溝方向と交差する方向に形成されているため、溝方向に引っ張られても、手提げ部分は、溝方向へ移動しにくい。
【００１０】
前記切り込み線を、前記溝方向に沿った直線による第１切り込み線と、前記第１切り込み線から前記第１切り込み線と交差する方向に延びる第２切り込み線とにより形成することができる。
【００１１】
このように、第１切り込み線と第２切り込み線とを形成することにより、手提げ袋の手提げ部分が第１切り込み線から第２切り込み線に移動して、第２切り込み線全体に拡がることで、第２切り込み線に挟持され、保持される。手提げ部分が第１切り込み線の方向へ引っ張られ、移動しようとしても、第２切り込み線は溝方向に沿った直線と交差する方向へ延びている。そのため、第２切り込み線全体に拡がった手提げ部分は、第１切り込み線への移動が阻止される。
【００１２】
前記第２切り込み線を、前記第１切り込み線の先端を通る円弧線であり、反対側の端部に向かって凹状の円弧線により形成することができる。
【００１３】
また、前記第２切り込み線を、前記第１切り込み線の先端から反対の端部側に向かって複数本の直線が開くように形成することも可能である。
【００１４】
更に、前記第２切り込み線を、前記第１切り込み線に直交する直線により形成することもできる。
【００１５】
また、前記切り込み線は、前記半筒部の端部から前記半筒部の一方の側部に向かって凸状の第１切り込み線と、前記第１切り込み線から前記半筒部の他方の側部に向かって凸状の第２切り込み線とにより形成されたものとすることができる。
【００１６】
そして、前記切り込み線は、前記半筒部の端部から反対の端部側に向かって複数本の直線が開くように形成することもできる。
【００１７】
前記半筒部を、前記端部に向かうに従って溝壁の高さが低くなるようにすると、溝壁に端部に向かって下る傾斜部が形成される。手提げ部分を、この傾斜部に沿って移動させることにより、手提げ部分を、半筒部の溝底に形成された切り込み線に位置させることができる。
【発明の効果】
【００１８】
本発明の手提げ袋用取っ手によれば、手提げ袋の手提げ部分が、溝方向に引っ張られても、手提げ部分は溝方向へ移動しにくいので、手提げ袋に収納された重量物による手への痛みを軽減しつつ、しっかりと手提げ袋を保持することができる。
【図面の簡単な説明】
【００１９】
【図１】本発明の実施の形態１に係る手提げ袋用取っ手を示す斜視図である。
【図２】図１に示す手提げ袋用取っ手の平面図である。
【図３】図１に示す手提げ袋用取っ手の側面図である。
【図４】図１に示す手提げ袋用取っ手の使用状態を説明するための斜視図である。
【図５】図１に示す手提げ袋用取っ手の第１変形例を説明するための半筒部の端部の平面図である。
【図６】図１に示す手提げ袋用取っ手の第２変形例を説明するための半筒部の端部の平面図である。
【図７】本発明の実施の形態２に係る手提げ袋用取っ手を説明するための半筒部の端部の平面図である。
【図８】本発明の実施の形態３に係る手提げ袋用取っ手を説明するための半筒部の端部の平面図である。
【発明を実施するための形態】
【００２０】
（実施の形態１）
本発明の実施の形態１に係る手提げ袋用取っ手を図面に基づいて説明する。
図１に示す本実施の形態１に係る手提げ袋用取っ手１０は、レジ袋またはポリ袋と称される手提げ袋を持って移動するときに使用されるものである。手提げ袋用取っ手１０は、手提げ袋の手提げ部分が配置される凹溝１１ａを有する半筒部１１により形成されたものである。手提げ袋用取っ手１０は、紙製、樹脂製、金属製とすることができる。手提げ袋用取っ手１０として、厚紙を成形したものとすれば、安価で作製でき、使用後の破棄が容易であり、使用後に破棄しても、環境への影響が小さい。
【００２１】
半筒部１１は、半筒部１１の端部１１ｔに向かうに従って溝壁１１ｂの高さが低くなるように形成されているため、端部１１ｔに向かって傾斜部１１ｃが溝壁１１ｂの両方の端部に形成される。
半筒部１１の両端部１１ｔ，１１ｔには、直線状または曲線状のいずれか一方または両方による切り込み線１２が複数本組み合わされて形成されている。
【００２２】
本実施の形態１では、切り込み線１２は、半筒部１１の端部１１ｔにおける溝底の中央部に形成されている。切り込み線１２は、半筒部１１の溝方向Ｆ１に沿った直線による第１切り込み線１２ａと、第１切り込み線１２ａから、第１切り込み線１２ａと交差する方向に延びる第２切り込み線１２ｂとにより形成されている。
従って、切り込み線１２は、溝方向Ｆ１と交差する方向（第１切り込み線１２ａの方向）に形成された部分（第２切り込み線１２ｂ）を有している。
【００２３】
第２切り込み線１２ｂは、第１切り込み線１２ａの先端を通る円弧線により形成されている。第２切り込み線１２ｂは、反対側の端部１１ｔに向かって凹状の円弧線により形成されている。
【００２４】
以上のように構成された本発明の実施の形態１に係る手提げ袋用取っ手１０の使用状態について、図面に基づいて説明する。
まず、手提げ袋の２つの手提げ部分を束ねて、手提げ部分を、図１に示す半筒部１１の凹溝１１ａに入れる。このとき、手提げ部分を傾斜部１１ｃに当てながら移動させると、束ねられ細くなった手提げ部分を、自然と、半筒部１１の端部１１ｔにおける溝底の中央部に形成された第１切り込み線１２ａに位置させることができる。
【００２５】
そして、手提げ部分を第１切り込み線１２ａに押し込むことで、第１切り込み線１２ａが押し開かれることで幅が拡がり、手提げ部分が入り、第２切り込み線１２ｂまで到達する。このとき、端部１１ｔの溝壁１１ｂが、端部１１ｔに向かうに従って高さが低くなるように形成されているため、手提げ部分を第１切り込み線１２ａに押し込む際に、堅牢な半筒部１１であっても撓みやすいため、第１切り込み線１２ａを容易に押し開くことができる。
【００２６】
第１切り込み線１２ａが押し開かれることにより、第２切り込み線１２ｂによる隙間が拡がるため、第２切り込み線１２ｂまで到達した手提げ部分を、第１切り込み線１２ａと第２切り込み線１２ｂとの接続位置Ｐ（図２参照）から、第２切り込み線１２ｂの奥部へと容易に進めることができる。
【００２７】
図４に示すように、手提げ袋Ｂの手提げ部分Ｂ１が第２切り込み線１２ｂに移動して、手提げ部分Ｂ１が第２切り込み線１２ｂ全体に拡がることで、手提げ部分Ｂ１は第２切り込み線１２ｂに挟持され、保持される。
このような状態で、使用者が手提げ袋用取っ手１０を握れば、手提げ袋Ｂの手提げ部分Ｂ１が使用者の手に直接食い込むことなく、手提げ袋Ｂを持つことができるので、長時間の移動でも苦痛にならない。
【００２８】
そして、手提げ部分Ｂ１が第１切り込み線１２ａの方向へ引っ張られ、移動しようとしても、第２切り込み線１２ｂは、第１切り込み線１２ａの切り込み方向（溝方向Ｆ１に沿った直線）と交差する方向へ延びている。そのため、第２切り込み線１２ｂ全体に拡がった手提げ部分Ｂ１は、第１切り込み線１２ａへの移動が阻止される。従って、手提げ部分Ｂ１は、第１切り込み線１２ａから飛び出ることが抑止される。
【００２９】
よって、手提げ袋用取っ手１０、手提げ袋Ｂに収納された重量物による手への痛みを軽減しつつ、しっかりと手提げ袋Ｂを保持することができる。
【００３０】
（実施の形態１の変形例）
本発明の実施の形態１に係る手提げ袋用取っ手の変形例について、図５および図６に基づいて説明する。なお、図５および図６においては、図１と同じ構成のものは同符号を付して説明を省略する。
【００３１】
図５に示すように、第１変形例に係る手提げ袋用取っ手２０の第２切り込み線１２ｃは、第１切り込み線１２ａの先端１２ｐから反対の端部側に向かって複数本の直線が開くように形成されている。第１変形例では、２本の切り込みが第１切り込み線１２ａを中心に線対称に開いている。
【００３２】
このように第２切り込み線１２ｃが直線により形成されていても、円弧線で形成された図１に示す第２切り込み線１２ａと同様に、手提げ部分が第２切り込み線１２ｃに拡がることで、第２切り込み線１２ｃが手提げ部分を挟持して保持する。
従って、第２切り込み線１２ｃ全体に拡がった手提げ部分は、第１切り込み線１２ａへの移動が阻止されるので、第１切り込み線１２ａから飛び出ることが抑止される。
【００３３】
また、図６に示す第２変形例に係る手提げ袋用取っ手３０の第２切り込み線１２ｄは、第１切り込み線１２ａに直交する直線により形成されている。
このように第２切り込み線１２ｄが第１切り込み線１２ａに直交する直線により形成されていることにより、手提げ部分が第２切り込み線１２ｄに拡がることで、第２切り込み線１２ｄが手提げ部分を挟持して保持する。
従って、第２切り込み線１２ｄ全体に拡がった手提げ部分は、第１切り込み線１２ａへの移動が阻止されるので、第１切り込み線１２ａから飛び出ることが抑止される。
【００３４】
（実施の形態２）
本発明の実施の形態２に係る手提げ袋用取っ手について、図７に基づいて説明する。なお、図７においては、図１と同じ構成のものは同符号を付して説明を省略する。
図７に示す本実施の形態２に係る４０は、直線状または曲線状のいずれか一方または両方の切り込みを複数本組み合わされて形成された切り込み線１３が、半筒部１１の端部１１ｔから半筒部１１ｔの一方の側部１１ｓに向かって凸状の円弧線による第１切り込み線１３ａと、第１切り込み線１３ａから半筒部１１の他方の側部１１ｓに向かって凸状の円弧線による第２切り込み線１３ｂとにより形成されている。
【００３５】
このように切り込み線１３が形成されていることで、手提げ袋の手提げ部分を切り込み線１３へ押し込むと、まず、手提げ部分が第１切り込み線１３ａに入り、次に、第２切り込み線１３ｂに入り込む。
手提げ部分が、第２切り込み線１３ｂに入り込むことで、第２切り込み線１３ｂで拡がった状態で挟持され、保持される。
第２切り込み線１３ｂは、他方の側部１１ｓに向かって凸状の円弧線により形成されており、第１切り込み線１３ａは一方の側部１１ｓに向かって凸状の円弧線により形成されている。そのため、手提げ部分が溝方向Ｆ１に引っ張られても、第１切り込み線１３ａから引き抜かれにくい。
【００３６】
なお、本実施の形態２では、第２切り込み線１３ｂが円弧線により形成されているが、山形の直線で形成されていてもよい。
【００３７】
（実施の形態３）
本発明の実施の形態３に係る手提げ袋用取っ手について、図８に基づいて説明する。なお、図８においては、図１と同じ構成のものは同符号を付して説明を省略する。
図８に示す本実施の形態３に係る５０は、直線状または曲線状のいずれか一方または両方の切り込みを複数本組み合わされて形成された切り込み線１４が、半筒部１１の端部１１ｔから反対の端部側に向かって複数本の直線が開くように形成されている。
【００３８】
本実施の形態３では、第１切り込み線１４ａと、第２切り込み線１４ｂとの２本の切り込み線１４が、端部１１ｔの溝底中央を中心として線対称に開くように延びている。
【００３９】
このように切り込み線１４が形成されていることで、手提げ袋の手提げ部分を切り込み線１４へ押し込むと、手提げ部分が第１切り込み線１４ａと、第２切り込み線１４ｂとにそれぞれ拡がった状態で入り込む。
従って、それぞれの切り込み線１４（第１切り込み線１４ａ，第２切り込み線１４ｂ）で挟持され、保持される。
【００４０】
第１切り込み線１４ａと、第２切り込み線１４ｂとは、溝方向Ｆ１と交差する方向であり、半筒部１１の端部１１ｔから反対の端部側に向かって２本の直線が開くように形成されている。そのため、手提げ部分が溝方向Ｆ１に引っ張られても、第１切り込み線１３ａから引き抜かれにくい。
【００４１】
以上、本発明の実施の形態１〜３に係る手提げ袋用取っ手１０〜５０を説明した。手提げ袋用取っ手１０〜５０では、半筒部１１が半円筒形状に形成されていたが、半角筒形状に形成されていてもよい。しかし、半筒部を半角筒形状とすると角が手に当たるため、持ちやすさを考慮すると、半円筒形状とすることが望ましい。
【産業上の利用可能性】
【００４２】
本発明は、レジ袋と称される手提げ袋を持って移動する際に好適である。
【符号の説明】
【００４３】
１０，２０，３０，４０，５０  手提げ袋用取っ手
１１  半筒部
１１ａ  凹溝
１１ｂ  溝壁
１１ｃ  傾斜部
１１ｔ  端部
１１ｓ  側部
１２  切り込み線
１２ａ  第１切り込み線
１２ｂ，１２ｃ，１２ｄ  第２切り込み線
１２ｐ  先端
１３  切り込み線
１３ａ  第１切り込み線
１３ｂ  第２切り込み線
１４  切り込み線
１４ａ  第１切り込み線
１４ｂ  第２切り込み線
Ｆ１  溝方向
Ｂ  手提げ袋
Ｂ１  手提げ部分
Ｐ  接続位置
【図１】
2019167122.tif 000003
【図２】
2019167122.tif 000004
【図３】
2019167122.tif 000005
【図４】
2019167122.tif 000006
【図５】
2019167122.tif 000007
【図６】
2019167122.tif 000008
【図７】
2019167122.tif 000009
【図８】
2019167122.tif 000010